(57)【特許請求の範囲】
【請求項１】
併設された複数の光コードからなる光ファイバコードであって、
前記光コードは、
光ファイバと、
前記光ファイバの外周に形成される補強層と、
前記補強層の外周を被覆する外被と、
を具備し、
隣り合う前記光コード同士が、前記光コードの長手方向に対して間欠的に接着され、幅方向に隣り合う接着部同士が前記光ファイバコードの長手方向に互いにずれて千鳥状に形成され、
前記光ファイバコードの長手方向の端部近傍における、前記光コードの長手方向に対する接着ピッチが、前記光ファイバコードの長手方向の中央部近傍における前記光コードの長手方向に対する接着ピッチよりも小さいことを特徴とする光ファイバコード。
【請求項２】
千鳥状に形成された、前記光ファイバコードの長手方向に隣り合う２組の光コード間の接着部同士は、同一ピッチで略半ピッチずれて形成されていることを特徴とする請求項１記載の光ファイバコード。
【請求項３】
前記光ファイバコードの長手方向の両端部には、それぞれの前記光コードごとに光コネクタが設けられることを特徴とする請求項１または請求項２に記載の光ファイバコード。
【請求項４】
請求項３に記載の光ファイバコードを用い、
前記光ファイバコードを敷設し、前記光コネクタを接続対象機器に接続する際、前記光コードごとに、接続部までの長さに応じて、隣り合う前記光コード同士の接着部を分離することを特徴とする光ファイバコード敷設方法。
【発明の詳細な説明】
【技術分野】
【０００１】
本発明は、複数の光ファイバコードが並列に接着された光ファイバコード等に関するものである。
【背景技術】
【０００２】
機器等との光通信のために光ファイバコードが用いられている。光ファイバコードは、光ファイバの外周に抗張力繊維等を配置し、外被で被覆される。通常、光ファイバコードの端部にはコネクタが設けられ、機器等にはコネクタによって接続される。
【０００３】
近年、光通信の需要の増加に伴い、データセンター内などにおいて、光ファイバコードの輻輳が問題となっている。例えば、光ファイバコード同士が絡み合い、任意の光ファイバコードを取り扱うことが困難となる。
【０００４】
このような光ファイバコードの輻輳を防止するために、例えば、光ファイバの外周に設けられた熱可塑性樹脂層を、表面から内側に向かってヤング率が連続的に低下するように形成する方法がある（特許文献１）。表面のヤング率を大きくすることによって、光ファイバコードが変形し難くなり、光ファイバコードが輻輳しても絡まりにくくなる。
【０００５】
また、複数の単心光コードを一体化したフラット型ケーブルが用いられている。フラット型ケーブルは、単心光コードが一体化されているため、ばらけることがなく、輻輳を抑制することができる。
【０００６】
また、中心にテンションメンバを配置し、テンションメンバの外周に複数の単心光コードを一括して外層外被で被覆したトランクケーブルがある。トランクケーブルも、フラットケーブルと同様に、単心光コードが一体化されているため、ばらけることがなく、輻輳を抑制することができる。
【先行技術文献】
【特許文献】
【０００７】
【特許文献１】特開平１１−２５８４６９号公報
【発明の概要】
【発明が解決しようとする課題】
【０００８】
しかし、特許文献１のように、絡みにくい光ファイバコードを用いたとしても、輻輳を効率よく抑制することは困難である。
【０００９】
一方、光ファイバコードは、例えば部屋の壁面に沿って配置されるトレイなどに収容され、部分的に屈曲させる必要がある。しかし、フラットケーブルは曲げの方向性を有するため、曲げ部を通過させるたびに、フラットケーブルの向きを揃えるなど、敷設作業が困難となる。特に、同じトレイには多くのケーブルが収容される場合が多く、これらが積層した状態となるため、フラットケーブルを個々に向きを変えるように敷設することは困難である。
【００１０】
また、トランクケーブルは、複数の単心光コードが束ねられるため、径が太くなり、コストが増大する。また、中心のテンションメンバ等によって重量も増加するため、取り扱い性が悪い。
【００１１】
本発明は、このような問題に鑑みてなされたもので、輻輳を抑制し、敷設作業性に優れた光ファイバコード及び光ファイバコード敷設方法を提供することを目的とする。
【課題を解決するための手段】
【００１２】
前述した目的を達するために第１の発明は、併設された複数の光コードからなる光ファイバコードであって、前記光コードは、光ファイバ心線と、前記光ファイバ心線の外周に形成される補強層と、前記補強層の外周を被覆する外被と、を具備し、複数の前記光コードが併設され、隣り合う前記光コード同士が、前記光コードの長手方向に対して間欠的に接着され、幅方向に隣り合う接着部同士が前記光ファイバコードの長手方向に互いにずれて千鳥状に形成され、前記光ファイバコードの長手方向の端部近傍における、前記光コードの長手方向に対する接着ピッチが、前記光ファイバコードの長手方向の中央部近傍における前記光コードの長手方向に対する接着ピッチよりも小さいことを特徴とする光ファイバコードである。
【００１３】
千鳥状に形成された、前記光ファイバコードの長手方向に隣り合う２組の光コード間の接着部同士は、同一ピッチで略半ピッチずれて形成されてもよい。
【００１４】
前記光ファイバコードの長手方向の両端部には、それぞれの前記光コードごとに光コネクタが設けられてもよい。
【００１６】
第１の発明によれば、複数の光コードが、長手方向に対して間欠的に接着されているため、接着部以外の部位では、光コード同士が自由に位置を変えることができる。すなわち、光ファイバコードには曲げの方向性が小さく、曲げた際に、特定の光コードに大きな応力が付与されることがない。このため、光ファイバコードを、任意の方向に曲げて容易に敷設することができる。また、光コードは、所定のピッチで接着されているため、光コード同士がばらけて絡み合うこともない。したがって、光コードの輻輳を効果的に抑制することができる。
【００１７】
特に、光ファイバコードの幅方向に隣り合う接着部同士を光ファイバコードの長手方向に互いにずらして千鳥状に形成することで、上述した効果をより効率よく得ることができる。
【００１８】
このような、光ファイバコードのそれぞれの光コードに光コネクタを設ければ、接続対象となる機器に容易に接続することができる。
【００１９】
また、光ファイバコードの端部近傍は、接続対象機器類との接続部の近傍となり、特に輻輳が問題となる部位である。このため、この部位の接着ピッチを短くすることで、輻輳防止効果を高めることができる。
【００２０】
また、光ファイバコードの端部近傍の接着ピッチを短くすることで、一部の接着部を破断させて光コードを分岐させる際に、分岐長を調整しやすく、光コードごとの取り回しに応じて、分岐長さを調整することができる。また、光ファイバコードの端部近傍以外では、接着ピッチを長くすることで、接着剤の使用量を削減することができるとともに、前述した様なトレイ内での位置変化の自由度を高めることができる。
【００２１】
第２の発明は、第１の発明にかかる光ファイバコードを用い、前記光ファイバコードを敷設し、前記光コネクタを接続対象機器に接続する際、前記光コードごとに、接続部までの長さに応じて、隣り合う前記光コード同士の接着部を、異なる長さで分離することを特徴とする光ファイバコード敷設方法である。
【００２２】
第２の発明によれば、光ファイバコードの端部近傍の接着ピッチを短くすることで、光コードを分岐させて接続対象機器に接続する際に、分岐長を調整しやすく、機器との接続部までの長さに応じて、分岐長さを調整することができる。
【発明の効果】
【００２３】
本発明によれば、取扱い性に優れ、敷設作業が容易な光ファイバコード等を提供することができる。
【図面の簡単な説明】
【００２４】
【図１】光ファイバコード１を示す斜視図。
【図２】光ファイバコード１の断面図。
【図３】光コネクタ１３が設けられた光ファイバコード１の全長を示す図。
【図４】（ａ）は、端部近傍１５の接着部５を示す図、（ｂ）は、中央部近傍１７の接着部５を示す図。
【図５】光ファイバコード１を接続対象機器１９に接続した状態を示す図。
【発明を実施するための形態】
【００２５】
以下、図面を参照しながら、本発明の実施形態について説明する。図１は、光ファイバコード１の一部を示す斜視図であり、図２は、光ファイバコード１の断面図である。
【００２６】
光ファイバコード１は、複数の光コード３ａ、３ｂ、３ｃ、３ｄ（以下、これらを総称して光コード３とする場合がある）からなる。複数の光コード３ａ、３ｂ、３ｃ、３ｄは一列に併設される。
【００２７】
光コード３は、光ファイバ７と、光ファイバ７の外周に形成される補強層９と、補強層９の外周を被覆する外被１１とを有する。光ファイバ７は、シングルコアやマルチコアの光ファイバ心線のみならず、例えば間欠テープ心線のような複数の光ファイバ心線から構成される光ファイバであってもよい。補強層９は、例えば補強繊維等によって形成される。外被１１は、通常用いられる光ファイバコードの外被を使用することができる。例えば、ポリ塩化ビニル（ＰＶＣ）や難燃ポリオレフィン等によって形成される。
【００２８】
光ファイバコード１は、隣り合う光コード３ａ、３ｂ、３ｃ、３ｄ同士が長手方向に対して所定の間隔をあけて間欠的に接着部５により接着される。なお、光ファイバコード１の幅方向に隣り合う接着部５同士は、光ファイバコード１の長手方向に対して互いにずれて千鳥状等に配置されることが望ましい。
【００２９】
すなわち、図１に示すように、光ファイバコード１の長手方向に対する光コード３ｂ、３ｃ間の接着部５は、隣り合う光コード３ａ、３ｂ間および光コード３ｃ、３ｄ間の接着部５に対して、略半ピッチずれて、同一ピッチで形成される。したがって、光コード３ａ、３ｂ間の接着位置と、光コード３ｃ、３ｄ間の接着位置とは長手方向で同一位置となる。
【００３０】
なお、接着部５の長さは、例えば、接着部５以外の非接着部の長さに対して十分に短くてよい。接着部５のピッチについては、詳細を後述する。
【００３１】
図３は、光ファイバコード１の全長を示す図である。光ファイバコード１の両端部には、それぞれの光コード３ごとに光コネクタ１３が設けられる。光コネクタ１３は、公知のコネクタであって、他の機器等と光接続可能であればいずれのものでも良い。
【００３２】
ここで、光ファイバコード１の全長において、両端における光コネクタ１３の近傍を、端部近傍１５とし、端部近傍１５以外の部位を中央部近傍１７とする。例えば、光コネクタ１３から光ファイバコード１の長手方向に０．２〜５ｍ程度の長さ範囲を端部近傍１５とし、それ以外の部位を中央部近傍１７とする。
【００３３】
図４（ａ）は、端部近傍１５における接着部５の態様を示し、図４（ｂ）は、中央部近傍１７における接着部５の態様を示す。図４（ａ）に示すように、端部近傍１５における接着部５のピッチをＰ１とする。同様に、図４（ｂ）に示すように、中央部近傍１７における接着部５のピッチをＰ２とする。
【００３４】
この場合、Ｐ１＜Ｐ２となるように、接着部５のピッチが設定される。例えば、Ｐ１は、光ファイバコード１の長手方向に１０〜４０ｃｍ程度とし、Ｐ２は、光ファイバコード１の長手方向に５０〜３００ｃｍ程度とすることができる。このように、光ファイバコード１の長手方向の端部近傍１５における、光コード３の長手方向に対する接着ピッチは、光ファイバコード１の長手方向の中央部近傍１７における光コード３の長手方向に対する接着ピッチよりも小さい。
【００３５】
なお、接着部５は、隣り合う光コード同士を接着する接着力が発揮される程度の大きさで設けられる。ただし、敷設工事等において任意の接着部を切り離す必要が生じ得るため、光ファイバコード１の長手方向に対して１〜３ｃｍ程度の長さで設けられるのが好ましい。それぞれの接着部の長さは同一であってもよいし、異なっていてもよい。また、光ファイバコード１の端部近傍１５の接着部と、中央部近傍１７の接着部とで異なる長さになるようにしてもよい。
【００３６】
前述したように、光ファイバコード１は、トレイ等に収容されて敷設される。すなわち、光ファイバコード１の中央部近傍１７は、トレイ等の内部に収容される。この際、トレイ等の取り回しに応じて、光ファイバコード１は曲げられるが、中央部近傍１７の接着部５のピッチを大きくすることで、光コード３同士が、より自由に移動可能であり、光ファイバコード１の曲げ部に適応させることができる。
【００３７】
また、光ファイバコード１の中央部近傍１７は、他の多くの光ファイバコード等とともにトレイ等に収容される。この際、それぞれの光コードをトレイ中で個別に取り回すようなことがない。このため、トレイ中においては、光コードの輻輳は大きな問題とはならない。
【００３８】
一方、光ファイバコード１の端部近傍１５は、接続対象機器に接続されるため、トレイ等から引き出されて、個々の光コード３に分岐させて取り回す必要がある。このため、接続対象機器近傍では、多くの光コード３を個別に取り回す必要があるため、可能な限りばらけないようにする必要がある。本実施形態では、端部近傍１５の接着部５のピッチを小さくすることで、より確実に光コード３を整列させ、輻輳を抑制することができる。
【００３９】
次に、光ファイバコードの敷設方法について説明する。図５は、光ファイバコード１を接続対象機器１９に接続した状態を示す概念図である。前述した様に、光ファイバコード１は、例えばトレイ等から引き落とされて、光コードごとに接続対象機器１９に接続される。なお、光コードごとに異なる接続対象機器に接続されてもよい。
【００４０】
通常、図示したように、光ファイバコード１の各光コード３は、接続される部位が異なる。例えば、図示した例では、光ファイバコード１が敷設される方向（図中上方）から見た際に、光コード３ａが最も近くに接続され、光コード３ｄが最も遠くに接続される。
【００４１】
この場合において、光コード３に過剰な曲げが加わらないように、接続対象機器１９の近傍においては、光コード３をそれぞれ分岐させて、ある程度の長さの自由度を持たせる必要がある。すなわち、隣り合う光コード３同士を接着する一部の接着部５を破断させる必要がある。
【００４２】
この際、敷設方向から見た際に接続部までの距離が最も近い光コード３ａと、距離が最も遠い光コード３ｄとの距離差のみから、各光コード３を分岐させると、より長い範囲で各光コード３に分岐させる必要がある。このため、分岐された範囲の各光コード３同士の輻輳が生じやすくなる。
【００４３】
これに対し、本実施形態では、図示したように、隣り合う光コード３同士の接続部までの長さに応じて、光コード３同士の接着部５を、異なる長さで分岐する。このようにすることで、光ファイバコード１の端部近傍１５において、過剰に光コード３同士がばらけることを抑制することができる。このため、光コード３同士の輻輳を抑制することができる。
【００４４】
この際、端部近傍１５においては、光コード３の接着ピッチが短いため、より細かな長さ調整が可能である。したがって、光コード３の輻輳抑制の効果が大きい。なお、端部近傍１５においても、光コード３同士が完全に全長にわたって接着されていないため、曲げの方向性が小さく、敷設作業性が良好である。
【００４５】
以上、本実施形態によれば、複数の光コード３を長手方向に間欠的に接着することで、光コード３同士がばらけにくく、輻輳を抑制することができる。また、光コード３同士の接着が間欠的であるため、光ファイバコード１の曲げ方向性が小さく、敷設作業も容易である。
【００４６】
また、光ファイバコード１は両端部にコネクタが接続されているため、接続対象機器１９への接続も容易である。
【００４７】
また、光ファイバコード１の中央部近傍１７の接着ピッチを大きくすることで、前述したように、光コード３の移動が容易となり、光ファイバコード１を容易に曲げることができる。この際、各光コード３に過剰な応力が付与されないため、伝送損失の増大もない。
【００４８】
また、光ファイバコード１の端部近傍１５の接着ピッチを小さくすることで、接続対象機器１９の近傍で、光コード３同士のばらけを効率よく抑制することができる。このため、光コード３の輻輳を効率よく抑制することができる。
【００４９】
また、光ファイバコード１の端部近傍１５の接着ピッチを小さくすることで、接続対象機器１９の近傍において、接続部までの距離に応じて、適切な長さで各光コード３を分岐させることができる。
【００５０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５１】
例えば、上述した実施形態では、端部近傍１５と中央部近傍１７の２段階で接着ピッチを変化させたが、例えばさらに３段階以上で、部位により接着ピッチを変えてもよい。この場合でも、端部近傍１５の接着ピッチを最も小さくすることで、同様の効果を得ることができる。
【００５２】
また、同様に、接着ピッチを段階的に変化させるのではなく、端部近傍から中央部に向かって徐々に接着ピッチが広くなるようにしてもよい。この場合でも、端部近傍１５の平均接着ピッチが中央部近傍の平均接着ピッチよりも小さくすることで、同様の効果を得ることができる。
【００５３】
また、上述の実施形態において、４本の光コード３により構成される例を示したが、本発明はこれに限られない。複数の光コード３からなる光ファイバコードであれば、光コード３がいずれの本数であっても適用可能である。
【符号の説明】
【００５４】
１………光ファイバコード
３、３ａ、３ｂ、３ｃ、３ｄ、３ｅ………光コード
５………接着部
７………光ファイバ
９………補強層
１１………外被
１３………光コネクタ
１５………端部近傍
１７………中央部近傍
１９………接続対象機器
【図１】
0006782090.tif 000002
【図２】
0006782090.tif 000003
【図３】
0006782090.tif 000004
【図４】
0006782090.tif 000005
【図５】
0006782090.tif 000006